(57)【要約】【課題】データ復調を正確に行えるデータ復調方法を提供すること。【解決手段】本発明では、記録媒体から読出したパルス信号の間隔を予め設定した閾値で区分けすることによってパルス間隔信号を生成し、このパルス間隔信号に基づいて前記記録媒体に記録されたデータの復調を順次行うデータ復調方法において、前記パルス信号の間隔が基準値よりも長い場合には前記閾値を増大させ、一方、前記パルス信号の間隔が前記基準値よりも短い場合には前記閾値を減少させることにした。【選択図】      図６
2005018867.tif 000002
【特許請求の範囲】
【請求項１】
記録媒体から読出したパルス信号の間隔を予め設定した閾値で区分けすることによってパルス間隔信号を生成し、このパルス間隔信号に基づいて前記記録媒体に記録されたデータの復調を順次行うデータ復調方法において、
前記パルス信号の間隔が基準値よりも長い場合には前記閾値を増大させ、一方、前記パルス信号の間隔が前記基準値よりも短い場合には前記閾値を減少させることを特徴とするデータ復調方法。
【請求項２】
前記データの開始を示すパルス間隔として予め定められている値を前記基準値として用いて、前記データの読出し開始時に前記閾値を増減させることを特徴とする請求項１に記載のデータ復調方法。
【請求項３】
前記データのうち直前に読出したデータのパルス間隔として予め定められている値を前記基準値として用いて、前記閾値を順次増減させることを特徴とする請求項１に記載のデータ復調方法。
【請求項４】
前記データの開始を示すパルス間隔として予め定められている値を前記基準値として用いて、前記データの読出し開始時に前記閾値を増減させ、その後、前記データのうち直前に読出したデータのパルス間隔として予め定められている値を前記基準値として用いて、前記閾値を順次増減させることを特徴とする請求項１に記載のデータ復調方法。
【請求項５】
記録媒体から読出したパルス信号の間隔を計測するパルス間隔計測手段と、前記パルス信号の間隔を予め設定した閾値で区分けすることによってパルス間隔信号を生成するパルス間隔信号生成手段と、前記パルス間隔信号に基づいて前記記録媒体に記録されたデータの復調を順次行う復調手段とを有するデータ復調装置において、
前記パルス間隔信号生成手段は、
前記パルス信号の間隔と所定の閾値とを比較することによってパルス間隔信号を生成する信号生成部と、
前記パルス信号の間隔と基準値とを比較して、前記パルス信号の間隔が基準値よりも長い場合には前記閾値を増大させ、一方、前記パルス信号の間隔が前記基準値よりも短い場合には前記閾値を減少させる閾値変更部と、
を有することを特徴とするデータ復調装置。
【請求項６】
ディスク状の記録媒体に記録されたデータを再生するディスク再生装置において、
前記記録媒体から読出したパルス信号の間隔を計測するパルス間隔計測手段と、前記パルス信号の間隔を予め設定した閾値で区分けすることによってパルス間隔信号を生成するパルス間隔信号生成手段と、前記パルス間隔信号に基づいて前記記録媒体に記録されたデータの復調を順次行う復調手段とを有し、
前記パルス間隔信号生成手段は、
前記パルス信号の間隔と所定の閾値とを比較することによってパルス間隔信号を生成する信号生成部と、
前記パルス信号の間隔と基準値とを比較して、前記パルス信号の間隔が基準値よりも長い場合には前記閾値を増大させ、一方、前記パルス信号の間隔が前記基準値よりも短い場合には前記閾値を減少させる閾値変更部と、
を有することを特徴とするディスク再生装置。
【発明の詳細な説明】
【０００１】
【発明の属する技術分野】
本発明は、データ復調方法及び同方法を用いたデータ復調装置並びにディスク再生装置に関するものである。
【０００２】
【従来の技術】
近年、音声や画像などの大量のデータを記録する媒体としてＤＶＤと呼ばれるディスク状の記録媒体が広く使用されている。
【０００３】
これらの記録媒体には、通常のデータを記録する領域のほかに、個々の記録媒体を識別するためのデータを記録するＢＣＡ（Ｂｕｒｓｔ  Ｃｕｔｔｉｎｇ  Ａｒｅａ）と呼ばれる領域がセンターホールの周辺に形成されており、このＢＣＡには、ＰＥ変調（Ｐｈａｓｅ  Ｅｎｃｏｄｉｎｇ変調）されたデータをＲＺ（Ｒｅｔｕｒｎ  ｔｏ  Ｚｅｒｏ）方式で符号化したバーコードデータとして記録されている。
【０００４】
そして、従来は、ＢＣＡに記録されたデータを次のようにして復調していた（たとえば、特許文献１参照）。
【０００５】
まず、光ピックアップ装置でバーコードデータを円周方向に向けて走査することによってパルス信号に変換する。
【０００６】
次に、光ピックアップ装置によって記録媒体から読出したパルス信号の間隔と予め設定された閾値とを比較することによってパルス信号の間隔を示すパルス間隔信号を生成する。
【０００７】
最後に、パルス間隔信号に基づいて記録媒体に記録されているデータの復調を行う。
【０００８】
【特許文献１】
特開２００２−１９７６６５号公報
【０００９】
【発明が解決しようとする課題】
ところが、上記従来のデータ復調方法にあっては、パルス間隔信号を生成する際に、常に予め設定された一定の閾値と記録媒体から読出したパルス信号の間隔とを比較していたため、データを記録媒体から読出す際の時間的な誤差によってパルス信号の間隔にばらつきが生じると、誤ったパルス間隔信号を生成してしまい、データを正確に復調することができなくなるおそれがあった。
【００１０】
特に、ＤＶＤのＢＣＡに記録されたデータは、ディスク状の記録媒体の内周部に微小間隔を隔てたバーコードデータとして記録されているため、記録媒体の回転速度に変動が生じると、データを記録媒体から読出す際にパルス信号の間隔が大きく異なってしまい、データを復調できなくなるおそれがあった。
【００１１】
【課題を解決するための手段】
そこで、請求項１に係る本発明では、記録媒体から読出したパルス信号の間隔を予め設定した閾値で区分けすることによってパルス間隔信号を生成し、このパルス間隔信号に基づいて前記記録媒体に記録されたデータの復調を順次行うデータ復調方法において、前記パルス信号の間隔が基準値よりも長い場合には前記閾値を増大させ、一方、前記パルス信号の間隔が前記基準値よりも短い場合には前記閾値を減少させることにした。
【００１２】
また、請求項２に係る本発明では、前記請求項１に係る本発明において、前記データの開始を示すパルス間隔として予め定められている値を前記基準値として用いて、前記データの読出し開始時に前記閾値を増減させることにした。
【００１３】
また、請求項３に係る本発明では、前記請求項１に係る本発明において、前記データのうち直前に読出したデータのパルス間隔として予め定められている値を前記基準値として用いて、前記閾値を順次増減させることにした。
【００１４】
また、請求項４に係る本発明では、前記請求項１に係る本発明において、前記データの開始を示すパルス間隔として予め定められている値を前記基準値として用いて、前記データの読出し開始時に前記閾値を増減させ、その後、前記データのうち直前に読出したデータのパルス間隔として予め定められている値を前記基準値として用いて、前記閾値を順次増減させることにした。
【００１５】
また、請求項５に係る本発明では、記録媒体から読出したパルス信号の間隔を計測するパルス間隔計測手段と、前記パルス信号の間隔を予め設定した閾値で区分けすることによってパルス間隔信号を生成するパルス間隔信号生成手段と、前記パルス間隔信号に基づいて前記記録媒体に記録されたデータの復調を順次行う復調手段とを有するデータ復調装置において、前記パルス間隔信号生成手段は、前記パルス信号の間隔と所定の閾値とを比較することによってパルス間隔信号を生成する信号生成部と、前記パルス信号の間隔と基準値とを比較して、前記パルス信号の間隔が基準値よりも長い場合には前記閾値を増大させ、一方、前記パルス信号の間隔が前記基準値よりも短い場合には前記閾値を減少させる閾値変更部とを有することにした。
【００１６】
また、請求項６に係る本発明では、ディスク状の記録媒体に記録されたデータを再生するディスク再生装置において、前記記録媒体から読出したパルス信号の間隔を計測するパルス間隔計測手段と、前記パルス信号の間隔を予め設定した閾値で区分けすることによってパルス間隔信号を生成するパルス間隔信号生成手段と、前記パルス間隔信号に基づいて前記記録媒体に記録されたデータの復調を順次行う復調手段とを有し、前記パルス間隔信号生成手段は、前記パルス信号の間隔と所定の閾値とを比較することによってパルス間隔信号を生成する信号生成部と、前記パルス信号の間隔と基準値とを比較して、前記パルス信号の間隔が基準値よりも長い場合には前記閾値を増大させ、一方、前記パルス信号の間隔が前記基準値よりも短い場合には前記閾値を減少させる閾値変更部とを有することにした。
【００１７】
【発明の実施の形態】
本発明に係るデータ復調方法は、記録媒体から読出したパルス信号の間隔に基づいて記録媒体に記録されたデータの復調を順次行うものである。
【００１８】
このような方法で復調するデータとしては、たとえばＤＶＤのＢＣＡに記録されたバーコードデータがある。
【００１９】
かかるバーコードデータは、ＰＥ変調されたデータをＲＺ方式で符号化したものであり、図１に示すように、「０」を示すデータは、１周期の前半側にバーコード１が存在しており、それを光ピックアップ装置で読出した場合に、パルス信号２の１周期の前半側に所定幅のパルスが存在し（図１（ａ）参照）、一方、「１」を示すデータは、１周期の後半側にバーコード１が存在しており、それを光ピックアップ装置で読出した場合に、パルス信号２の１周期の後半側に所定幅のパルスが存在する（図１（ｂ）参照）。
【００２０】
したがって、データが「１」から「０」に変化する場合には、図２（ａ）に示すように、所定のパルス間隔（以下、この場合のパルス間隔を「１Ｔ」と呼ぶ。）を有するパルス信号２が得られ、また、データが「１」から「１」に変化する場合には、図２（ｂ）に示すように、１Ｔの２倍のパルス間隔（以下、この場合のパルス間隔を「２Ｔ」と呼ぶ。）を有するパルス信号２が得られ、また、データが「０」から「０」に変化する場合には、図２（ｃ）に示すように、１Ｔの２倍のパルス間隔（２Ｔ）を有するパルス信号２が得られ、さらに、データが「０」から「１」に変化する場合には、図２（ｄ）に示すように、１Ｔの３倍のパルス間隔（以下、この場合のパルス間隔を「３Ｔ」と呼ぶ。）を有するパルス信号２が得られる。
【００２１】
また、バーコードデータは、データの開始部分に、図３に示すように、１Ｔの４倍のパルス間隔（以下、この場合のパルス間隔を「４Ｔ」と呼ぶ。）を有するパルス信号２が得られるバーコード１が配置されている。
【００２２】
そして、ＢＣＡに記録されたバーコードデータを復調する場合には、光ピックアップ装置でバーコードデータを円周方向に向けて走査することによってパルス信号２に変換し、このパルス信号２の間隔をクロックパルスのカウント値として計測し予め設定したカウント値の閾値で区分けすることによってパルス信号の間隔を示すパルス間隔信号を生成し、さらに、パルス間隔信号に基づいて記録媒体に記録されているデータの復調を行う。
【００２３】
このパルス間隔信号を生成する際には、図４に模式的に示したように、パルス信号２の間隔が閾値ＳＬ１と閾値ＳＬ２との間の場合には、パルス間隔信号として「１Ｔ」を示す信号を生成し、パルス信号２の間隔が閾値ＳＬ２と閾値ＳＬ３との間の場合には、パルス間隔信号として「２Ｔ」を示す信号を生成し、パルス信号２の間隔が閾値ＳＬ３と閾値ＳＬ４との間の場合には、パルス間隔信号として「３Ｔ」を示す信号を生成し、パルス信号２の間隔が閾値ＳＬ４と閾値ＳＬ５との間の場合には、パルス間隔信号として「４Ｔ」を示す信号を生成する。
【００２４】
そして、従来においては、これらの閾値ＳＬ１〜ＳＬ５を常に一定の値としていたのに対して、本発明では、パルス信号２に応じてこれらの閾値ＳＬ１〜ＳＬ５を変更するようにしている。
【００２５】
すなわち、本発明に係るデータ復調方法は、記録媒体から読出したパルス信号２の間隔と所定の閾値ＳＬ１〜ＳＬ５とを比較することによってパルス信号２の間隔を示すパルス間隔信号を生成し、このパルス間隔信号に基づいて記録媒体に記録されたデータの復調を順次行い、しかも、パルス信号２の間隔が基準値よりも長い場合には閾値ＳＬ１〜ＳＬ５を増大させ、一方、パルス信号２の間隔が基準値よりも短い場合には閾値ＳＬ１〜ＳＬ５を減少させることにしたものである。
【００２６】
具体的には、データの開始を示すパルス間隔（４Ｔ）として予めＤＶＤ規格で定められている値を基準値Ｓ４として用いて、データの読出し開始時にパルス信号２の間隔と基準値Ｓ４とを比較し、パルス信号２の間隔のほうが長い場合には、図５（ａ）に模式的に示したように、閾値ＳＬ２〜ＳＬ４を増大させ、一方、パルス信号２の間隔のほうが短い場合には、図５（ｂ）に模式的に示したように、閾値ＳＬ２〜ＳＬ４を減少させる。なお、閾値ＳＬ２〜ＳＬ４の増減幅は、パルス信号２の間隔と基準値Ｓ４との差分に応じた幅としてもよく、また、一定幅としてもよい。
【００２７】
そして、以降のパルス間隔信号生成時には、変更後の閾値ＳＬ１〜ＳＬ５を継続して用いてもよく、また、直前に読出したデータのパルス間隔として予めＤＶＤ規格で定められている値を基準値として用いて、閾値ＳＬ１〜ＳＬ５を順次増減させるようにしてもよい。
【００２８】
たとえば、図６に模式的に示したように、まず、直前に読出したデータのパルス間隔（２Ｔ）の基準値Ｓ２よりもパルス信号２の間隔のほうが長いので、閾値ＳＬ２〜ＳＬ４を増大させ、次に、読出したデータのパルス間隔（３Ｔ）の基準値Ｓ３よりもパルス信号２の間隔のほうが短いので、閾値ＳＬ２〜ＳＬ４を減少させ、次に、読出したデータのパルス間隔（１Ｔ）の基準値Ｓ１よりもパルス信号２の間隔のほうが短いので、閾値ＳＬ２〜ＳＬ４をさらに減少させる。
【００２９】
このように、本発明では、記録媒体から読出したパルス信号２の間隔に応じて閾値ＳＬ１〜ＳＬ５を増減させるようにしているため、データを記録媒体から読出す際の時間的な誤差によってパルス信号の間隔にばらつきが生じても、それに応じて閾値ＳＬ１〜ＳＬ５を増減させることで、誤ったパルス間隔信号を生成してしまうのを防止することができ、データを正確に復調することができる。
【００３０】
そして、データの開始を示すパルス間隔（４Ｔ）として予め定められている値を基準値Ｓ４として用いて、データの読出し開始時に閾値ＳＬ１〜ＳＬ５を増減させた場合には、その後のデータ復調を正確に行うことができる。特に、ＤＶＤのＢＣＡのバーコードデータのように１周分のデータの場合には、パルス信号の間隔の偏りが基準値よりも長いか短いかの一方的な場合が多く、データ読出し開始時に１回だけ閾値ＳＬ１〜ＳＬ５を変更するだけで、その後のデータ復調を正確に行うことができる。
【００３１】
また、直前に読出したデータのパルス間隔（１Ｔ、２Ｔ、３Ｔ）として予め定められている値を基準値Ｓ１，Ｓ２，Ｓ３として用いて、閾値ＳＬ１〜ＳＬ５を順次増減させた場合には、途中でパルス信号の間隔の偏りに変化が生じても、データ復調を正確に行うことができる。
【００３２】
以上に説明したデータ復調方法を行う具体的なデータ復調装置について以下に説明する。このデータ復調装置は、ディスク状の記録媒体に記録されたデータを再生するディスク再生装置に内蔵されるものである。
【００３３】
データ復調装置３は、図７に示すように、パルス間隔計測手段４にパルス間隔信号生成手段５を接続し、このパルス間隔信号生成手段５に復調手段６を接続している。
【００３４】
パルス間隔計測手段４は、記録媒体から読出したパルス信号２の間隔をカウンタ回路を用いて計測するように構成している。
【００３５】
パルス間隔信号生成手段５は、信号生成部７と閾値変更部８とで構成しており、パルス間隔計測手段４によって計測したパルス信号２の間隔と所定の閾値ＳＬ１〜ＳＬ５とを比較することによってパルス信号２の間隔を示すパルス間隔信号（１Ｔ、２Ｔ、３Ｔ、４Ｔ）を生成する（図４参照）。
【００３６】
ここで、パルス間隔信号生成手段５は、信号生成部７において、パルス間隔計測手段４によって計測したパルス信号２の間隔と所定の閾値ＳＬ１〜ＳＬ５とを比較することによってパルス間隔信号（１Ｔ、２Ｔ、３Ｔ、４Ｔ）を生成し、また、閾値変更部８において、パルス間隔計測手段４によって計測したパルス信号２の間隔と基準値Ｓ１，Ｓ２，Ｓ３，Ｓ４とを比較して、パルス信号２の間隔が基準値Ｓ１，Ｓ２，Ｓ３，Ｓ４よりも長い場合には信号生成部７で使用する閾値ＳＬ１〜ＳＬ５を増大させ、一方、パルス信号２の間隔が基準値Ｓ１，Ｓ２，Ｓ３，Ｓ４よりも短い場合には信号生成部７で使用する閾値ＳＬ１〜ＳＬ５を減少させるように構成している。
【００３７】
復調手段６は、パルス間隔信号生成手段５で生成したパルス間隔信号に基づいて記録媒体に記録されたデータの復調を行うように構成している（図１〜図３参照）。
【００３８】
そして、データ復調装置３では、閾値変更部８において、データの開始を示すパルス間隔（４Ｔ）として予め定められている値を基準値Ｓ４として用いて、データの読出し開始時に閾値ＳＬ１〜ＳＬ５を増減させ、その後、直前に読出したデータのパルス間隔（１Ｔ、２Ｔ、３Ｔ）として予め定められている値を基準値Ｓ１，Ｓ２，Ｓ３として用いて、閾値ＳＬ１〜ＳＬ５を順次増減させるようにしている。
【００３９】
【発明の効果】
本発明は、以上に説明したような形態で実施され、以下に記載されるような効果を奏する。
【００４０】
すなわち、本発明では、記録媒体から読出したパルス信号の間隔に応じて閾値を増減させるようにしているため、データを記録媒体から読出す際の時間的な誤差によってパルス信号の間隔にばらつきが生じても、それに応じて閾値を増減させることで、誤ったパルス間隔信号を生成してしまうのを防止することができ、データを正確に復調することができる。
【図面の簡単な説明】
【図１】バーコードデータを示す説明図。
【図２】バーコードデータの変化とパルス間隔の変化を示す説明図。
【図３】バーコードデータの開始部分を示す説明図。
【図４】パルス間隔と閾値との関係を示す説明図。
【図５】データ読出し時の閾値の変更を示す説明図。
【図６】データ読出し中の閾値の変更を示す説明図。
【図７】本発明に係るデータ復調装置を示す説明図。
【符号の説明】
１  バーコード
２  パルス信号
３  データ復調装置
４  パルス間隔計測手段
５  パルス間隔信号生成手段
６  復調手段
７  信号生成部
８  閾値変更部
ＳＬ１〜ＳＬ５  閾値
Ｓ１〜Ｓ４  基準値
【図１】
2005018867.tif 000003
【図２】
2005018867.tif 000004
【図３】
2005018867.tif 000005
【図４】
2005018867.tif 000006
【図５】
2005018867.tif 000007
【図６】
2005018867.tif 000008
【図７】
2005018867.tif 000009